(57)【要約】  【課題】  建築現場等に使用する建枠に対して容易に着脱でき、かつシンプルな構造を有する固定金具を提供する。また、建枠に対する取り付け作業性に優れた手摺枠を提供する。  【解決手段】  建枠に対して着脱自在に取り付け可能な固定金具であって、建枠の縦柱３５を抱き込む形状の湾曲部と楔挿入孔１８を有する継手部材１１と、楔挿入孔１８に挿入可能な楔状の押さえ部材１９とからなり、楔状の押さえ部材１９が垂直方向に回動可能に、ピン２１等により継手部材１１と結合されていることを特徴とする固定金具。  【選択図】図１
2005171649.tif 000002
【特許請求の範囲】
【請求項１】
建枠に対して着脱自在に取り付け可能な固定金具であって、建枠の縦柱を抱き込む形状の湾曲部と楔挿入ガイドを有する継手部材と、楔挿入ガイドに挿入可能な楔状の押さえ部材とからなり、楔状の押さえ部材が垂直面で回動自在に継手部材と結合されていることを特徴とする固定金具。
【請求項２】
楔状の押さえ部材がピンによって継手部材と結合され、ピンを支点として垂直面で回動自在であることを特徴とする請求項１記載の固定金具。
【請求項３】
楔状の押さえ部材を楔挿入ガイドに挿入後に、楔状の押さえ部材が楔挿入ガイドから抜けることを防止する抜け止め機構を有することを特徴とする、請求項１又は２に記載の固定金具。
【請求項４】
楔状の押さえ部材は長孔を有し、継手部材に取り付けられたピンが長孔内に嵌められていて、楔状の押さえ部材がピンに対して長孔の長さ方向に移動自在であることを特徴とする、請求項１から３までのいずれかに記載の固定金具。
【請求項５】
長孔形状自体が抜け止め機構を構成することを特徴とする請求項４記載の固定金具。
【請求項６】
継手部材は長孔を有し、楔状の押さえ部材に取り付けられたピンが長孔内に嵌められていて、楔状の押さえ部材が継手部材に対して長孔の長さ方向に移動自在であることを特徴とする、請求項１から３までのいずれかに記載の固定金具。
【請求項７】
長孔形状自体が抜け止め機構を構成することを特徴とする請求項６記載の固定金具。
【請求項８】
手摺枠の建地材に取り付けられていることを特徴とする、請求項１から６までのいずれかに記載の固定金具。
【請求項９】
請求項１から７までのいずれかに記載の固定金具を有することを特徴とする手摺枠。
【発明の詳細な説明】
【技術分野】
【０００１】
本発明は、建築現場等に使用する足場用建枠に対して着脱自在に取り付け可能な固定金具及び手摺枠に関する。
【背景技術】
【０００２】
建築現場等で用いられる枠組足場は、通常、横桟と縦柱から構成される鳥居形状やＨ形状の建枠を複数個組み立てることによって形成される。
【０００３】
建枠の複数個を所定の間隔で建物とは直角に立設し、建枠に筋違（すじかい）を取り付け固定して複数個の建枠を自立させた後、手摺枠を取り付け固定し、さらに建枠の横桟の上に足場板（布板）を架け渡すことで、１単位の足場を形成する。次に、既に立設した建枠の上に、別途用意された建枠を載置し、この建枠にも別途用意された筋違と手摺枠を取り付け固定した後、新たに形成された自立した建枠の横桟の上に別途用意した足場板を架け渡すことによって一つ上の段の足場を形成する。建枠の上に別の建枠を載置するには、通常、建枠を構成する縦柱の上に、別の建枠の縦柱を継ぎ足すようにして載置する。これを順次繰り返すことによって、全体の枠組み足場を形成する。そして、各段の足場には、足場に乗って作業する作業者の安全を守る為に、手摺枠が取り付けられる。
【０００４】
この枠組足場を下から組み上げる場合、作業者が最上段の足場に乗ってから手摺枠を取り付けると作業者が転落する危険を伴う。この作業者の転落を防止するため、最上段の足場の一つ下の足場（この足場には手摺枠が既に取り付けられている）の位置から、作業者が最上段の足場用の手摺枠を先行して取り付けた後に、作業者が最上段の足場に乗るという順序を経ることによって、作業者の安全を守ることが可能となった。これを、特に、「先行手摺枠」という。以下、手摺枠のことを先行手摺枠ということもある。
【０００５】
このように、先行手摺枠は枠組足場を順次下から組み上げる際に用いられるが、枠組み足場が組み上げられた後は、通常の手摺枠として機能する。
【０００６】
なお、逆の作業で、枠組足場を順次上から取り外す際にも、最上段の足場の一つ下の足場の位置から作業者が最上段の足場用の手摺枠を取り外すことができるため、作業者の安全を守ることができる。
【０００７】
図９は先行手摺枠の一例を示す正面図である。先行手摺枠１は、左右２本の建地材２，２並びに上部横地材３及び下部横地材４でもって枠形状の周囲が構成され、建地材と下部横地材を結ぶ一対の第一補強材５，５並びにこれらの一対の第一補強材を結ぶ第二補強材６が枠内に設けられている。そして、建地材には、枠の外側に、上から順次、上部固定金具７、位置決め金具８、下部固定金具９が設けられている。
【０００８】
図１０は、鳥居形状の建枠と先行手摺枠を用いて、枠組み足場を順次下から組み上げる作業を示す模式図である。図１０(a)は枠組み足場の正面図、図１０(b)は枠組み足場の右側面図を示す。
【０００９】
作業員２０の立っている現足場用の足場板５１は、下方の足場板（図示せず）から作業員が、下方の足場の隣り合う建枠４３の間に先行手摺枠５２を取り付けた後、下方の足場の建枠４３の横桟４４の上に足場板５１を架け渡して形成されたものである。このとき、下方の足場の隣り合う建枠４３の間には、建物４０の側に筋違４１が斜めに取り付けられ、複数の建枠４３が立体構造を形成している。そして、建物の反対側には、下方足場用の先行手摺枠４２の上部固定金具７と現足場用の先行手摺枠５２の下部固定金具９とが固定されていて、下方の足場用の先行手摺枠４２だけでなく現足場用の先行手摺枠５２も既に設置されている。
【００１０】
作業員２０は、現在、この足場板５１の上に乗って、下方の足場用の建枠４３の２本の縦柱４５の上に現足場用の建枠５３の２本の縦柱５５を縦方向に嵌合連結して、現足場用の建枠５３を複数設置しているところである。作業員２０は、既に先行して設置されている現足場用の先行手摺枠５２に安全帯７０の一端を取り付け、他端を自分の腰に取り付けることで、転落防止を図ることができる。なお、現足場用の先行手摺枠５２の上部固定金具７は、現足場用の建枠５３を設置したのちに、その建枠５３の縦柱５５に固定する。
【００１１】
図１１に、先行手摺枠を建枠に取り付ける際の作業手順を示す。図１１(a)は取り付け作業の右側面図、図１１(b)は取り付け作業の正面図である。
【００１２】
この図中の作業員２０は、現足場用の足場板５１の上に立って、上方足場用の先行手摺枠６２を持ち上げ、２個の位置決め金具８を、隣り合う建枠５３の横桟５４の所定位置に載置したのち、２個の位置決め金具８を支点として先行手摺枠６２を回転させ、その先行手摺枠６２に設けられた２個の下部固定金具９を、隣り合う建枠５３の縦柱５５に押し当て、固定する。こうして、上方の足場用の先行手摺枠６２は、現足場用の隣り合う建枠５３に固定されることになる。
【００１３】
また、逆に、枠組足場を順次上から取り外す際には、下方の足場に立つ作業者が下部固定金具を建枠から取り外した後に、位置決め金具を支点として手摺り枠を逆回転させるだけで、簡単に取り外しができる。
【００１４】
図１２に、建枠に先行手摺枠を固定するための下部固定金具の一例（上面図）を示す。建枠の縦柱３５を抱き込む形状の湾曲部を有する継手部材１１と、同じくその縦柱を抱き込む形状の湾曲部を有するとともにその先端に楔（クサビ）金具１３を有する押さえ部材１２とからなり、軸１４を中心に回動可能である固定金具１０が、ボルトナット及び溶接で手摺枠の建地材２に取り付けられている。
【００１５】
ここでは、建枠の縦柱３５を抱き込む湾曲部を解放状態で保持するために、板バネ１６を継手部材１１に内蔵することによって、楔金具１３を有する押さえ部材１２を継手部材から強制的に離間させている。この固定金具１０は、建枠の縦柱３５を継手部材１１の湾曲部に抱き込み、楔金具１３を有する押さえ部材１２を矢印方向に手作業で回転させたのちに、楔によって固定される。
【００１６】
図１３により、この固定金具を用いて、手摺枠を建枠の縦柱３５に固定する手順を説明する。図１３(a)と(b)は固定金具の上面図であり、図１３(c)と(d)は固定金具の背面図である。
【００１７】
まず、(a)継手部材１１の解放状態の湾曲部に建枠の縦柱３５を押し当てたのち、(b)楔（クサビ）金具１３を有する押さえ部材１２を手作業で軸１４を中心に回転させることによって、板バネ１６を外して、継手部材１１の湾曲部と押さえ部材１２の湾曲部の間に建枠の縦柱３５を挟み込む。そして、(c)継手部材１１の先端と押さえ部材１２の先端との間に楔金具１３をハンマー１７で打ち込むことによって、(d)継手部材１１の湾曲部と押さえ部材１２の湾曲部の間に建枠の縦柱３５を挟み込んだ状態でしっかり固定する。
【００１８】
しかしながら、このような固定金具の場合、次の(i)及び(ii)に掲げる操作上又は構造上の問題点がある。
【００１９】
(i)建枠の縦柱を抱き込む湾曲部を解放状態のまま保持できることが必要となる。上記の固定金具の例では、板バネを内蔵することで楔（クサビ）金具を有する押さえ部材を継手部材から強制的に離間させているが、このような特殊部材を内蔵させるのは、コスト増加要因となる。このような特殊部材を使わなければ、手作業により、解放状態にする作業が必要となる。
【００２０】
(ii)固定金具は、継手部材と押さえ部材と楔金具の３部材から構成されているので、これらもコスト増加要因となる。
【００２１】
特許文献１及び特許文献２には、いずれも、上記の(ii)の問題を解決するために、継手部材と楔機能を有する押さえ部材の２部材から構成させた固定金具が記載されている。
【００２２】
図１４は、特許文献１の発明に係る固定金具１０であり、図１４(a)が固定する前、図１４(b)が固定した後を、それぞれ示す。
【００２３】
湾曲部を有する継手部材１１に２個所の楔挿入孔１８を形成し、そして、押さえ部材の先端部と後端部をそれぞれ、図示される形に折り曲げた形状として、楔機能を有する押さえ部材１５としたものである。湾曲部に建枠の縦柱３５を抱き込んだ後に、楔機能を有する押さえ部材１５を２個所の楔挿入孔１８にハンマー１７でたたいて挿入することによって、建枠の縦柱３５に固定金具を固定しようとするものである。この固定金具１０は、溶接によって手摺枠の建地材２に取り付けられている。
【００２４】
また、図１５は、特許文献２の発明に係る固定金具１０であり、図１５(a)が固定する前、図１５(b)が固定した後を、それぞれ示す。
【００２５】
湾曲部を有する継手部材１１に楔挿入孔１８を形成し、図示される形状の楔機能を有する押さえ部材１５を用いるものである。湾曲部に建枠の縦柱３５を抱き込んだ後に、この楔孔１８に楔機能を有する押さえ部材１５をハンマー１７でたたいて挿入することによって、建枠の縦柱３５に固定金具１０を固定しようとするものである。この固定金具１０も、溶接によって手摺枠の建地材２に取り付けられている。
【００２６】
【特許文献１】特許第２５９４５３０号公報
【００２７】
【特許文献２】特開２００２−３７１７０７号公報
【発明の開示】
【発明が解決しようとする課題】
【００２８】
手摺枠を建枠に取り付ける際には、建枠の縦柱を抱き込む湾曲部を解放状態で保持することが必要となることは上記の(i)に記載したとおりである。しかしながら、上記特許文献１及び２で提案された固定金具は、板バネ等の特殊部材を内蔵させていないので、手作業により、楔金具兼用の押さえ部材を移動させて、建枠の縦柱を抱き込む湾曲部を解放状態にする作業が必要となる。
【００２９】
ところが、これらの固定金具を構成する楔金具兼用の押さえ部材は水平方向に滑りやすいので、湾曲部を解放状態にする作業には困難を伴う。
【００３０】
図１６により、このような楔機能を有する押さえ部材１５を備えた固定金具１０を、手摺枠の下部固定金具９として用いたときの固定作業を説明する。図１６(a)は、作業員２０が、隣り合う建枠の縦柱３５の間に手摺枠１を取り付けて固定する作業図であり、図１６(b)は固定金具１０の拡大図（上面図）である。固定金具１０は、楔挿入孔１８を有する継手部材１１と楔機能を有する押さえ部材１５からなり、継手部材１１は溶接で手摺枠の建地材２に取り付けられている。
【００３１】
ここで、手摺枠１は、左右に、上部固定金具７、位置決め金具８及び下部固定金具９を、それぞれ有するものである。この図中の作業員２０は、左右に下部固定金具９が取り付けられた手摺枠１を一人で持ち上げて、左右の建枠の縦柱３５に手摺枠１を取り付けて、固定しなければならない。
【００３２】
すなわち、作業員２０は、手摺枠１の左右に設置されている下部固定金具９において、継手部材１１の湾曲部を解放状態に保持したまま、その湾曲部に左右の建枠の縦柱３５を抱き込むことによって手摺枠１を取り付け、固定することになるが、このためには、左右２つの継手部材１１の湾曲部の入り口の両方を、楔機能を有する押さえ部材１５が同時に塞がないようにして、手摺枠１を左右の建枠の縦柱３５に取り付ける必要がある。楔機能を有する押さえ部材１５は水平方向（矢印方向）に滑りやすいので、図１６(a)のように、手摺枠１を傾けると、左右２つの継手部材１１の湾曲部の入り口の片方が楔機能を有する押さえ部材１５によって塞がれて、縦柱３５が継手部材１１の湾曲部に抱き込まれることを妨げることになってしまって、手摺枠１を左右の建枠の縦柱３５に取り付けることができなくなる。
【００３３】
したがって、継手部材と楔機能を有する押さえ部材の２部材からなる固定金具とするだけでなく、建枠の縦柱を抱き込む湾曲部を解放状態で保持できる構造を有する固定金具が求められている。
【課題を解決するための手段】
【００３４】
本発明者らは、この課題を解決するために、固定金具を構成する継手部材と押さえ部材の形状と構造を種々に検討した結果、次の(1)〜(5)の知見を得た。
(1)押さえ部材の形状自体を楔状とするだけで、押さえ部材に楔機能を付与できる。すなわち、楔状の押さえ部材と継手部材の２部材から固定金具を構成することができる。
(2)継手部材の湾曲部の入り口を楔状の押さえ部材が塞ぐことを防止するためには、建枠の縦柱が継手部材の湾曲部に抱き込まれるまでは、楔状の押さえ部材が水平方向に移動しない構造とすればよい。
(3)手摺枠を少々傾けても楔状の押さえ部材が水平方向に移動しない構造とするには、固定金具の継手部材が手摺枠に取り付けられた状態で楔状の押さえ部材が自重により継手部材から垂れ下がり、かつ継手部材に対して垂直面で回動自在に、継手部材と結合されていればよい。楔状の押さえ部材を継手部材に対して垂直面で回動可能に結合する手段としては、たとえば、ピンを用いることができる。
(4)このように、楔状の押さえ部材が自重により継手部材から垂れ下がった状態で、固定金具が手摺枠の建地材に取り付けられていれば、手摺枠を少々傾けても楔状の押さえ部材が水平方向に移動することはないので、楔状の押さえ部材が継手部材の湾曲部の入り口を塞ぐことはない。
(5)したがって、手摺枠に取り付けられた固定金具であっても、固定金具を建枠に取り付ける際に、建枠の縦柱を継手部材の湾曲部に容易に抱き込むことができ、その後に、楔状の押さえ部材を水平方向に回動して、継手部材に設けられた楔挿入ガイドにハンマー等でたたいて挿入することによって、固定金具を建枠に固定することができる。
【００３５】
本発明は、これらの知見に基づいて完成したものである。すなわち、本発明は、次の(1)〜(8)のいずれかの固定金具及び(9)の手摺枠に関する。以下、(1)〜(9)を、総称して本発明ということがある。
(1)建枠に対して着脱自在に取り付け可能な固定金具であって、建枠の縦柱を抱き込む形状の湾曲部と、楔挿入ガイドに挿入可能な楔状の押さえ部材とからなり、楔状の押さえ部材が垂直面で回動自在に継手部材と結合されていることを特徴とする固定金具。なお、楔挿入ガイドは、楔状の押さえ部材を挿入して固定できる構造であればよく、たとえば、楔挿入孔や楔挿入枠等でよい。
(2)楔状の押さえ部材がピンによって継手部材と結合され、ピンを支点として垂直面で回動自在であることを特徴とする上記(1)の固定金具。
(3)楔状の押さえ部材を楔挿入ガイドに挿入後に、楔状の押さえ部材が楔挿入ガイドから抜けることを防止する抜け止め機構を有することを特徴とする、上記(1)又は(2)の固定金具。
(4)楔状の押さえ部材は長孔を有し、継手部材に取り付けられたピンが長孔内に嵌められていて、楔状の押さえ部材がピンに対して長孔の長さ方向に移動自在であることを特徴とする、上記(1)〜(3)のいずれかの固定金具。
(5)長孔形状自体が抜け止め機構を構成することを特徴とする、上記(4)の固定金具。抜け止め機構を構成する長孔形状としては、たとえば、長孔の孔内に山形状と窪み形状を形成して、ピンに対して引っ掛かりをもたせるものが挙げられる。
(6)継手部材は長孔を有し、楔状の押さえ部材に取り付けられたピンが長孔内に嵌められていて、楔状の押さえ部材が継手部材に対して長孔の長さ方向に移動自在であることを特徴とする、上記(1)〜(3)のいずれかの固定金具。
(7)長孔形状自体が抜け止め機構を構成することを特徴とする、上記(6)の固定金具。抜け止め機構を構成する長孔形状としては、たとえば、長孔の途中に窪みと山を並行して形成した形状が挙げられる。
(8)手摺枠の建地材に取り付けられていることを特徴とする、上記(1)〜(6)のいずれかの固定金具。
(9)上記(1)〜(7)のいずれかの固定金具を有することを特徴とする手摺枠。
【発明の効果】
【００３６】
本発明によれば、建築現場等に使用する建枠に対して容易に着脱できて、かつシンプルな構造を有する固定金具を提供することができる。また、本発明によれば、建枠に対する取り付け作業性に優れた手摺枠を提供することができる。
【発明を実施するための最良の形態】
【００３７】
本発明に係る固定金具及び手摺枠について、以下に、図面を用いて、説明する。
【００３８】
図１と図２は、本発明にかかる固定金具の一例であり、図１が固定する前、図２が固定した後を、それぞれ示す。図１(a)は固定する前の正面図、図１(b)は固定する前の上面図である。そして、図２(a)は固定した後の正面図、図２(b)は固定した後の上面図である。
【００３９】
この固定金具は、建枠の縦柱３５を抱き込む形状の湾曲部と楔挿入孔１８を有する継手部材１１と、楔状の押さえ部材１９とからなり、楔状の押さえ部材１９はピン２１によって継手部材１１に取り付けられ、ピン２１を支点として継手部材１１に対して垂直面で回動可能に結合している。また、楔状の押さえ部材１９は長孔２２を有し、継手部材１１に取り付けられたピン２１が長孔２２の内に嵌められていて、楔状の押さえ部材１９はピン２１に対して長孔の長さ方向に移動自在となっている。この長孔２２には、孔内に山形状２３と窪み形状２４を形成して、ピンに対して引っ掛かりをもたせることで、長孔形状自体が抜け止め機構を構成している。
【００４０】
そして、この固定金具の継手部材１１は、溶接で手摺枠の建地材２に取り付けられている。
【００４１】
固定金具の継手部材１１が手摺枠の建地材２に取り付けられた状態では、楔状の押さえ部材１９が自重により継手部材１１から垂れ下がり、継手部材に対して垂直面で回動自在となっている。固定金具が少々揺れても、楔状の押さえ部材１９は自重により自ずから矢印の方向に移動し、垂直方向に垂れ下がることになる。
【００４２】
したがって、手摺枠を少々傾けて、固定金具が少々揺れても、楔状の押さえ部材１９が継手部材１１の湾曲部の入り口を塞ぐことはない。
【００４３】
したがって、固定金具を建枠の縦柱３５に取り付ける際には、図１にみるごとく、建枠の縦柱３５を継手部材１１の湾曲部に容易に抱き込むことができる。
【００４４】
このように、建枠の縦柱３５を継手部材１１の湾曲部に抱き込んだ後に、楔状の押さえ部材１９を手作業で水平方向に回動し、継手部材１１に設けられた楔挿入孔１８に楔状の押さえ部材１９をハンマー等でたたいて挿入すると、図２にみるごとく、固定金具が建枠の縦柱３５に固定される。
【００４５】
次に、図３によって、長孔２２の形状自体による楔状の押さえ部材１９の抜け止め機構を説明する。
【００４６】
図３(a)は、継手部材１１に設けられた楔挿入孔１８に楔状の押さえ部材１９をハンマー等でたたいて挿入して、固定金具が建枠の縦柱３５に固定された状態（正面図）を示す。
【００４７】
図３(b)は、楔が緩んで、楔状の押さえ部材が右側に移動したときの状態（正面図）を示す。楔状の押さえ部材１９の長孔２２には、孔内に山形状２３と窪み形状２４を形成されていて、山形状２３の部分がピン２１に当たり、引っ掛かるので、右側に移動してきた楔状の押さえ部材１９はそこで止まることになる。これが、長孔形状自体による抜け止め機構である。楔状の押さえ部材が一定の角度以上に傾けられると、この引っ掛かりがとれて、楔状の押さえ部材１９はさらに右側に移動することができるが、固定金具が建枠に固定されている状態では楔状の押さえ部材は水平状態に保持されているから、楔状の押さえ部材１９が楔挿入孔１８から抜けることはない。
【００４８】
ここで、楔状の押さえ部材１９は、図３(b)の状態、すなわち、山形状２３の部分がピン２１に当たるときに、楔状の押さえ部材１９が楔挿入孔１８から外れないだけの長さが必要であることはいうまでもない。
【００４９】
なお、この逆の作業で、固定金具を建枠から外すには、楔状の押さえ部材１９を反対側からハンマー等でたたいて一定以上の衝撃を加えれば、楔挿入孔１８から外れ、そして、長孔の山形状の個所も通過できるので、楔状の押さえ部材１９は楔挿入孔１８から外れることができる。
【００５０】
固定金具を構成する継手部材の構造と形状は、建枠の縦柱を抱き込む形状の湾曲部と、楔挿入孔等を有する楔挿入ガイドを有するものであればよく、図１〜図３に示したものに限定されない。図４に、その他の継手部材の例を挙げる。
【００５１】
また、固定金具を構成する押さえ部材の形状としては、楔状であればよく、図１〜図３に示したものに限定されない。図５に、楔状の押さえ部材のその他の例を挙げる。
【００５２】
なお、これまで、楔状の押さえ部材１９が長孔２２を有し、継手部材１１に取り付けたピン２１が長孔２２の内に嵌められていて、楔状の押さえ部材１９がピン２１に対して長孔２２の長さ方向に移動自在である固定金具について説明してきた。しかしながら、逆に、継手部材１１が長孔２２を有し、楔状の押さえ部材１９に取り付けられたピン２１が長孔２２の内に嵌められていて、楔状の押さえ部材１９が継手部材１１に対して長孔２２の長さ方向に移動自在である固定金具であってもよい。
【００５３】
さらに、本発明に係る手摺枠を用いると、手摺枠に取り付けられた固定金具は、上記した長孔を有しているので、次のとおり、手摺枠を固定金具によって建枠に固定する前の段階での作業を容易にできる。
【００５４】
図６(a)は、作業員２０が、本発明に係る手摺枠１を水平に持ち上げたときの状態の正面図を示す。図６(b)及び図６(c)は、このときの手摺枠１の下部固定金具９１、９２のそれぞれの拡大図を示す。ここで、手摺枠１に取り付けられた固定金具の楔状の押さえ部材１９は、楔挿入孔１８に嵌った状態にあるが、ハンマー等でたたかれて楔挿入孔１８に挿入されたものではないから、水平方向に移動自在である。ただし、長孔２２の山形状２３の部分がピン２１に当たり、引っ掛かるので、楔状の押さえ部材１９はそれ以上移動せず、そこで止まることになる。なお、手摺枠１に取り付けられている固定金具の楔状の押さえ部材１９が、楔挿入孔１８から外れた状態で置いてあったときは、楔状の押さえ部材１９は、ピン２１を支点として、継手部材１１から回動自在に垂れ下がった状態となっていることは言うまでもない。
【００５５】
図７(a)は、作業員２０が、その後、手摺枠１を斜めに傾けて持ち上げたときの状態の正面図を示す。図７(b-1)は、このときの手摺枠１の下部固定金具９１の当初の状態の拡大図を、そして、図７(b-2)はその後に楔状の押さえ部材１９が矢印方向に滑った後にピン２１を支点として継手部材１１から垂れ下がった状態の拡大図を、それぞれ示す。そして、図７(c)は、このときの手摺枠１の他方の下部固定金具９２の状態の拡大図を示す。
【００５６】
ここで、図７(c)に示される下部固定金具の楔状の押さえ部材１９は、楔形のために楔挿入孔１８で止まった状態にあるので、これ以上は、右側に移動しない。これに対して、図７(b-1)で示される下部固定金具９１の楔状の押さえ部材１９は、一定の角度以上に傾けられるので、長孔２２の山形状２３の部分による引っ掛かりを乗り越えて、楔状の押さえ部材１９はピン２１をすぎて、さらに右側に移動することができる。したがって、楔状の押さえ部材１９は楔挿入孔１８から外れることになり、その結果、楔状の押さえ部材１９は、図７(b-2)に示されるように、ピン２１を支点として、継手部材１１から回動自在に垂れ下がった状態となる。
【００５７】
図８(a)は、作業員２０が、さらに、その後、手摺枠１を、図７とは逆の斜め方向に傾けて持ち上げたときの状態の正面図を示す。図８(b)は、このときの手摺枠１の下部固定金具９１の拡大図を、そして、図８(c-1)及び図８(c-2)は、このときの手摺枠１の他方の下部固定金具９２の拡大図を、それぞれ示す。
【００５８】
ここで、図８(b)に示される下部固定金具９１の楔状の押さえ部材１９は、図７で説明したとおり、ピン２１を支点として、継手部材１１から回動自在に垂れ下がった状態となっている。これに対して、図８(c-1)で示される他方の下部固定金具９２の楔状の押さえ部材１９は、一定の角度以上に傾けられるので、矢印方向に滑る。そして、長孔２２の山形状２３の部分による引っ掛かりを乗り越えて、楔状の押さえ部材１９はピン２１をすぎて、さらに左側に移動することができる。したがって、楔状の押さえ部材１９は楔挿入孔１８から外れることになり、その結果、図８(c-2)で示されるように、楔状の押さえ部材１９は、ピン２１を支点として、継手部材１１から回動自在に垂れ下がった状態となる。
【００５９】
このように、本発明に係る手摺枠１を用いると、作業員２０が左右に手摺枠１を傾けるだけで、楔状の押さえ部材１９がピン２１を支点として、継手部材１１から回動自在に垂れ下がった状態となる。したがって、楔状の押さえ部材１９に手を触れることなく、解放状態にすることができるという、大きな利点を有する。
【００６０】
なお、本発明に係る固定金具に関して、ここまでは、手摺枠に取り付ける下部固定金具を例にとって説明してきたが、手摺枠に取り付ける上部固定金具としても、本発明に係る固定金具を用いることができる。この場合、上部固定金具についても、上述した本発明の利点を備えることは言うまでもない。
【００６１】
ただし、下部固定金具と違って、上部固定金具の固定作業をする際には、手摺枠は既に隣接する建枠の縦柱のそれぞれに、下部固定金具によって固定されているので、上部固定金具を固定する作業には下部固定金具ほどの困難は伴わない。したがって、手摺枠に取り付ける上部固定金具は、本発明に係る固定金具を使ってもよいが、従来タイプの固体金具を使ってもよい。
【産業上の利用可能性】
【００６２】
本発明によれば、建築現場等に使用する建枠に対して容易に着脱自在でかつ構造がシンプルな構造を有する固定金具を提供することができる。また、本発明によれば、建枠に対する取り付け作業性に優れた手摺枠を提供することができる。
【図面の簡単な説明】
【００６３】
【図１】図１は、本発明にかかる固定金具の一例であり、固定する前を示す。
【図２】図２は、本発明にかかる固定金具の一例であり、固定した後を示す。
【図３】長孔の形状自体による楔状の押さえ部材の抜け止め機構を説明する図面である。
【図４】継手部材の例を示す。
【図５】楔状の押さえ部材の例を示す。
【図６】本発明に係る手摺枠を水平に持ち上げたときの状態を示す正面図を示す。
【図７】本発明に係る手摺枠を斜めに傾けて持ち上げたときの状態を示す。
【図８】本発明に係る手摺枠を、図７とは逆の斜め方向に傾けて持ち上げたときの状態を示す。
【図９】先行手摺枠の一例を示す正面図である。
【図１０】先行手摺枠を用いて枠組み足場を順次下から組み上げる作業を示す模式図である。
【図１１】先行手摺枠を建枠に取り付ける際の作業手順を示す。
【図１２】建枠に先行手摺枠を固定するための下部固定金具の一例を示す上面図である。
【図１３】固定金具を用いて手摺枠を建枠の縦柱に固定する手順を説明する図である。
【図１４】特許文献１に係る固定金具を示す。
【図１５】特許文献２に係る固定金具を示す。
【図１６】図１６(a)は、特許文献２に係る固定金具を有する手摺枠を建枠に取り付ける作業図（正面図）である。図１６(b)は、固定金具の拡大図である。
【符号の説明】
【００６４】
１    手摺枠
２    建地材
３    上部横地材
４    下部横地材
５    第一補強材
６    第二補強材
７    上部固定金具
８    位置決め金具
９    下部固定金具
１０  固定金具
１１  継手部材
１２  押さえ部材
１３  楔金具
１４  軸
１５  楔機能を有する押さえ部材
１６  板バネ
１７  ハンマー
１８  楔挿入孔
１９  楔状の押さえ部材
２０  作業員
２１  ピン
２２  長孔
２３  山形状
２４  窪み形状
３３  建枠
３４  建枠の横桟
３５  建枠の縦柱
４０  建物
４１  筋違
４２  下方の足場用の先行手摺枠
４３  下方の足場用の建枠
４４  下方の足場用の建枠の横桟
４５  下方の足場用の建枠の縦柱
５１  足場板
５２  現足場用の先行手摺枠
５３  現足場用の建枠
５４  現足場用の建枠の横桟
５５  現足場用の建枠の縦柱
６２  上方の足場用の先行手摺枠
７０  安全帯
９１  手摺枠に取り付けられた一方の固定金具
９２  手摺枠に取り付けられた他方の固定金具
【図１】
2005171649.tif 000003
【図２】
2005171649.tif 000004
【図３】
2005171649.tif 000005
【図４】
2005171649.tif 000006
【図５】
2005171649.tif 000007
【図６】
2005171649.tif 000008
【図７】
2005171649.tif 000009
【図８】
2005171649.tif 000010
【図９】
2005171649.tif 000011
【図１０】
2005171649.tif 000012
【図１１】
2005171649.tif 000013
【図１２】
2005171649.tif 000014
【図１３】
2005171649.tif 000015
【図１４】
2005171649.tif 000016
【図１５】
2005171649.tif 000017
【図１６】
2005171649.tif 000018